(57)【要約】【課題】周辺機器を後付けする場合にも対応可能で、且つ取付部品数減によるコストの削減と取付作業の軽減を可能にした電子式ガスメータを提供する。【解決手段】電子式ガスメータ（ガスメータ１で例示）は、その本体１０の側部に、周辺機器２０を取り付けるための周辺機器取付板２１を設けてなる。周辺機器取付板２１と周辺機器２０とはネジ２２等によって固定すればよい。周辺機器取付板２１のガスメータ本体１０の側部への固定は、ガスメータ１の口金部１１を、Ｕ字形ボルト１４と周辺機器取付板２１とで挟み込んだ状態で、Ｕ字形ボルト１４の両端にそれぞれナット１５を取り付けることで行う。ここで、周辺機器取付板２１は、Ｕ字形ボルト１４の両端を挿入するための孔２１ａ，２１ｂをもち、口金部１１を挟み込む際には、これら孔２１ａ，２１ｂに両端を挿入した状態で挟み込む。【選択図】図２
2008216188.tif 000002
【特許請求の範囲】
【請求項１】
周辺機器を取り付けるための周辺機器取付板を側部に設けた電子式ガスメータであって、当該電子式ガスメータの口金部を、Ｕ字形ボルトと該Ｕ字形ボルトの両端を挿入するための孔をもつ周辺機器取付板とで挟み込んだ状態で、前記Ｕ字形ボルトの両端にそれぞれナットを取り付けることで、前記周辺機器取付板を当該電子式ガスメータの側部に固定したことを特徴とする電子式ガスメータ。
【請求項２】
前記口金部と前記周辺機器取付板との間に弾性体を挟み込み、該弾性体の弾性力を利用して前記周辺機器取付板と前記口金部との間の締め付けを行うことを特徴とする請求項１に記載の電子式ガスメータ。
【請求項３】
前記Ｕ字形ボルトで挟み込みを行う前記口金部は、当該電子式ガスメータにおけるガスの流入口側の口金部又は流出口側の口金部であり、前記周辺機器取付板は、前記Ｕ字形ボルト用の孔として、前記流入口側の口金部を挟み込む際及び前記流出口側の口金部を挟み込む際に共通に用いる１つの共通孔と、前記流入口側の口金部を挟み込む際に用いる他の１孔と、前記流出口側の口金部を挟み込む際に用いる他の１孔とで、合計３孔設けてあることを特徴とする請求項１又は２に記載の電子式ガスメータ。
【発明の詳細な説明】
【技術分野】
【０００１】
本発明は、電子式ガスメータに関し、より詳細には、住宅家屋等に設置され、周辺機器を取り付けることが可能な電子式ガスメータに関する。
【背景技術】
【０００２】
従来から、住宅家屋等に通信機能をもつ電子式ガスメータ（マイコンメータとも言う）が設置され、集中監視システムに組み込まれて各電子式ガスメータにおけるガスの使用状況やガス漏れの有無等が監視されている。
【０００３】
電子式ガスメータの通信機能は、ガスメータ本体にＮＣＵ（網制御装置）等の通信機器を取り付けることで設けられていることがある。特に、設置済みのガスメータに通信機能をもたせるために後付けで施設される場合には、（１）ガスメータ本体に通信装置を取り付けるか、或いは（２）ガスメータ本体から離れた壁や地中から伸びる配管材に固定した数種類の保持部材など、ガスメータ本体とは離間した位置に通信機器を取り付け配線材（ケーブル）で両者を繋ぐ。
【０００４】
電子式ガスメータには、ここで挙げた通信機器だけでなく外部に他の周辺機器を取り付けることもあり、電子式ガスメータの設置場所のスペース上の制限、美観、点検等の容易さなども考慮した様々な取付方法が提案されている。
【０００５】
上記（１）の取付方法に関し、例えば、特許文献１には、ガスメータの側面にＴ−ＮＣＵ（端末網制御装置）が取付けられる係合部を上方に位置して設けるとともに、下方に未貫通の雌ネジを刻設した凸部を設けたガスメータが開示されている。そして、このガスメータにおいては、周辺機器側のネジ止め穴を設け、このネジ止め穴を介してガスメータ本体側の凸部の雌ネジにネジ止めすることで、周辺機器を取り付けている。
【０００６】
また、特許文献２には、略Ｌ字状に折曲され水平部と垂直部とを形成した板状体からなり、ガスメータの側面に添設されるガスメータ通報装置用取付け具が開示されている。この取付け具は、水平部にガスメータの口金に嵌合して支持される嵌合部を有し、垂直部にガスメータ通報装置の取付け部を設けている。この嵌合部としては、口金に嵌合する嵌合孔か、或いは水平部の側部に開口する切欠部が採用されている。
【特許文献１】特許第３５８１４４０号公報
【特許文献２】特許第３７２０４８２号公報
【発明の開示】
【発明が解決しようとする課題】
【０００７】
上記（１）の取付方法を採用した場合、特許文献１に記載の構造では、ガスメータ本体に雌ネジを設けておかなければならず後付けに対応できない機種も存在してしまう。
【０００８】
また、特許文献２に記載の構造では、嵌合孔を採用した場合にはガス配管接続後に配管を外すことなく後付けすることはできない。一方で、ガス配管接続後の後付にも対応するために切欠部を採用した場合には特に、ガスメータ本体の側壁にビスを取り付ける凹部を予め設けておかなければ周辺機器がしっかりと固定できないため、後付けに対応できない機種も存在してしまう。
【０００９】
一方、上記（２）のごとく周辺機器を電子式ガスメータ本体から離間した位置に設置する場合には手間とコストがかかる。例えば、壁に設置する方法を採用した場合には、周辺機器の設置工事に併せて長い配線材と結線及び配線作業が必要となり手間やコストがかかる。また、配管材に固定した保持部材を用いた方法を採用した場合には、配線材は短くて済むが保持部材を何種類も組合せて取付けるため部品が多くなりやはり手間とコストがかかる。
【００１０】
本発明は、上述のごとき実情に鑑みてなされたものであり、周辺機器を後付けする場合にも対応可能で、且つ取付部品数減によるコストの削減と取付作業の軽減を可能にした電子式ガスメータの提供を、その目的とする。
【課題を解決するための手段】
【００１１】
上述のごとき課題を解決するために、本発明の第１の技術手段は、周辺機器を取り付けるための周辺機器取付板を側部に設けた電子式ガスメータであって、当該電子式ガスメータの口金部を、Ｕ字形ボルトと該Ｕ字形ボルトの両端を挿入するための孔をもつ周辺機器取付板とで挟み込んだ状態で、前記Ｕ字形ボルトの両端にそれぞれナットを取り付けることで、前記周辺機器取付板を当該電子式ガスメータの側部に固定したことを特徴としたものである。
【００１２】
第２の技術手段は、第１の技術手段において、前記口金部と前記周辺機器取付板との間に弾性体を挟み込み、該弾性体の弾性力を利用して前記周辺機器取付板と前記口金部との間の締め付けを行うことを特徴としたものである。
【００１３】
第３の技術手段は、第１又は第２の技術手段において、前記Ｕ字形ボルトで挟み込みを行う前記口金部は、当該電子式ガスメータにおけるガスの流入口側の口金部又は流出口側の口金部であり、前記周辺機器取付板は、前記Ｕ字形ボルト用の孔として、前記流入口側の口金部を挟み込む際及び前記流出口側の口金部を挟み込む際に共通に用いる１つの共通孔と、前記流入口側の口金部を挟み込む際に用いる他の１孔と、前記流出口側の口金部を挟み込む際に用いる他の１孔とで、合計３孔設けてあることを特徴としたものである。
【発明の効果】
【００１４】
本発明によれば、電子式ガスメータにおいて、周辺機器を後付けする場合にも対応可能で、且つ取付部品数減によるコストの削減と取付作業の軽減が可能になる。
【発明を実施するための最良の形態】
【００１５】
図１は、本発明の一実施形態に係る電子式ガスメータの一構成例を示す外観図で、図１（Ａ）は正面図、図１（Ｂ）は図１（Ａ）のＢ方向から見た側面図である。また、図２は、図１の電子式ガスメータの上面図で、図３は、図１及び図２の電子式ガスメータにおける周辺機器取付方法を説明するための分解上面図である。
【００１６】
本発明に係る電子式ガスメータ（以下、単に「ガスメータ」という）は、その本体１０の側部に、周辺機器２０を取り付けるための周辺機器取付板２１を設けてなる。
【００１７】
周辺機器取付板２１は、平板形状でよく、また周辺機器２０の形状等に応じて適所に周辺機器２０との取付部をもたせておくことで、両者の固定は可能である。図示した例では、周辺機器取付板２１にネジ孔等が穿たれ、周辺機器２０に設けられたネジ孔を介してネジ２２によってネジ止めされ、これにより周辺機器取付板２１に周辺機器２０が固定されている。
【００１８】
周辺機器取付板２１とガスメータ本体１０との固定は、Ｕ字形ボルト１４とその両端用のナット１５とでなされる。より具体的には図３で示すような各部材において、ガスメータ１の口金部１１を、Ｕ字形ボルト１４と周辺機器取付板２１とで挟み込んだ状態（挟んだ状態）で、Ｕ字形ボルト１４の両端にそれぞれナット１５を取り付けることで、周辺機器取付板２１をガスメータ１の側部に固定する。固定後には図２に示すようになる。なお、図２では取付構造を見易くするためにユニオン１３を外した図を示している。
【００１９】
ここで、周辺機器取付板２１は、図１において上方に、Ｕ字形ボルト１４の両端を挿入するための孔２１ａ，２１ｂが設けられており、口金部１１を挟み込む際にはこれら孔２１ａ，２１ｂにＵ字形ボルト１４の両端を挿入した状態で挟み込む。
【００２０】
また、Ｕ字形ボルト１４には、図示したように、周辺機器取付板２１の位置決め用に長ナット１５をねじ込んでおくとよい。さらに、口金部１１にはユニオン１３が接続されているが、このＵ字形ボルト１４の湾曲部分を口金部１１のうちユニオン１３からの露出した部分に挿入し、反対側（Ｕ字形ボルト１４の両端側）に周辺機器取付板２１を配して口金部１１を挟み込み、ナット１５で固定するとよい。
【００２１】
このように、Ｕ字形ボルト１４と周辺機器取付板２１とでガスメータ１の口金部１１を挟むことで、口金部１１に周辺機器取付板２１及びそれに搭載された周辺機器２０を固定することができ、ガスメータ１の直近に周辺機器２０を設置することができる。また、周辺機器２０を後付けする場合にも、既設のガスメータ１の形状に依らずガス配管から取り外すことなく対応可能となる。また、上述のごとき構造により、周辺機器２０をガスメータ１の直近に容易に手早く取付けることが可能になるため、取付作業の軽減となり線材や組付け部品の削減も可能となりコストの低減も実現できる。
【００２２】
また、図１乃至図３で図示したように、口金部１１と周辺機器取付板２１との間にゴム部材や板金の弾性部材等の弾性体１７を挟み込み、その弾性体１７の弾性力を利用して周辺機器取付板２１と口金部１１との間の締め付け、すなわち周辺機器取付板２１とＵ字形ボルト１４の湾曲部分との間の締め付けを行うことが好ましい。
【００２３】
弾性体１７の形状は、ゴム部材を採用した場合、図示したように、一面を口金部１１に併せた曲面をもつようにしてもよいし単なる直方体又は立方体としてもよい。また、板金等の他の弾性部材を採用したときにもその形状は問わない。弾性体１７としては、周辺機器取付板２１を固定したときの口金部１１からの距離に比べ大きい長さをもつものを採用することで、弾性力を周辺機器取付板２１及び口金部１１に働かせることができる。
【００２４】
このように弾性体１７を設け、周辺機器取付板２１と口金部１１を弾性体１７の弾性力により締め付けることで、周辺機器取付板２１を上下、左右、前後方向への移動止めとなり固定の安定性を向上させることができる。
【００２５】
さらに、ガスメータ１によっては図１に示したように、操作を明示する説明用カード１８を内蔵し、本体１０の正面から判読可能なように左右に引き出せる構造をもつものもある。従って、周辺機器２０の設置は説明用カード１８の反対側であることが要求される。
【００２６】
実際には、このような説明用カード１８は、例えばガスメータ１の直ぐ右側が壁の場合は左側へ引き出し逆の場合は右側へ引き出すといった具合に、設置場所の状況によって引き出し方向が変えられるため、周辺機器２０は説明用カード１８の取付位置によって、いずれの側面でも取付可能なことが要求される。また、説明用カード１８が具備されないガスメータであっても、左右の側面のいずれかしか取付スペースが存在しないこともあり、いずれの側面でも取付可能であることが要求される。
【００２７】
そのため、Ｕ字形ボルト１４で挟み込みを行う口金部は、ガスメータ１におけるガスの流出口側の口金部１１に限らず流入口側の口金部１２であっても対応可能としておくことが好ましい。
【００２８】
口金部１１，１２の双方に取付可能とするために、周辺機器取付板２１は、Ｕ字形ボルト１４用の孔（穴）として、流入口側の口金部１２を挟み込む際及び流出口側の口金部１１を挟み込む際に共通に用いる１つの共通孔２１ｂ、流入口側の口金部１２を挟み込む際に用いる他の１孔２１ｃ、及び流出口側の口金部１１を挟み込む際に用いる他の１孔２１ａで、合計３孔設けておくとよい。
【００２９】
例えば、共通孔２１ｂは、周辺機器取付板２１の中央に設け、その孔２１ｂから左右対称に１つずつ孔２１ａ，２１ｃを設けるとよい。そして、中央の孔２１ｂを中心に使用する孔を左右の入れ替えることで、ガスメータの入口側、出口側の口金どちらにでも取付可能となる。
【００３０】
より具体的には、図４に示すように、ガスメータ本体１０の図面右側に周辺機器取付板２１及び周辺機器２０を固定することも、図面左側に周辺機器取付板２１及び周辺機器２０を固定することも可能となる。前者の場合、孔２１ａ，２１ｂにＵ字形ボルト１４の両端を挿入してナット１５で固定すればよく、後者の場合、孔２１ｂ，２１ｃにＵ字形ボルト１４の両端を挿入してナット１５で固定すればよい。そして、周辺機器２０を取り付けたまま周辺機器取付板２１を一方の側面から他方の側面へ移動させることもできる。
【００３１】
また、流出口と流入口の口金部１１，１２の外径が同じことを前提として説明したが、外径が異なる場合でもそれぞれの径に合った流出口用及び流入口用のＵ字形ボルト１４を用意しておき、同じくその径に合うように共通孔２１ｂから離間した位置に孔２１ａ，２１ｃを設けておけばよい。
【図面の簡単な説明】
【００３２】
【図１】本発明の一実施形態に係る電子式ガスメータの一構成例を示す外観図である。
【図２】図１の電子式ガスメータの上面図である。
【図３】図１及び図２の電子式ガスメータにおける周辺機器取付方法を説明するための分解上面図である。
【図４】図１乃至図３の電子式ガスメータにおける周辺機器取付方法の他の例を説明するための上面図である。
【符号の説明】
【００３３】
１…電子式ガスメータ（ガスメータ）、１０…ガスメータ本体、１１…流出口側の口金部、１２…流入口側の口金部、１３…ユニオン、１４…Ｕ字形ボルト、１５…ナット、１６…長ナット、１７…弾性体、１８…説明カード、２０…周辺機器、２１…周辺機器取付板、２１ａ，２１ｂ，２１ｃ…孔、２２…ビス。
【図１】
2008216188.tif 000003
【図２】
2008216188.tif 000004
【図３】
2008216188.tif 000005
【図４】
2008216188.tif 000006